(57)【要約】【課題】  サイトの画面設定にかかわらず、ユーザの設定によって、ブラウザ上の画面表示の設定変更を可能とするブラウザ表示制御用端末装置及びブラウザ表示プログラムを提供する。【解決手段】  本発明の端末装置１は、ブラウザ上でサイト画面を表示する際に、１つのウィンドウ内に複数のサイト画面を表示可能となるようＨＴＭＬデータを変換する。このことにより、リンク元のサイト画面とリンク先のサイト画面を１つのフレーム内に同時に表示する。【選択図】        図２
2006268646.tif 000002
【特許請求の範囲】
【請求項１】
通信網を介して外部サーバよりウェブサイトの画面データを読み込む画面データ読込手段と、
前記画面データ読込手段により読み込まれた前記ウェブサイトの画面データのうちの、表示方法に関するデータを変更する表示データ変更手段と、
前記表示データ変更手段によって変更された前記表示方法に関するデータに基づいて前記ウェブサイトの画面を表示させる変更後画面表示手段と、を備えることを特徴とする端末装置。
【請求項２】
前記変更後画面表示手段は、１のウィンドウ中に複数のウェブサイトの画面を同時に表示させるものであり、
前記表示データ変更手段は、前記１のウィンドウ中に１つだけ表示されるように設定された、または、ウィンドウ、フレームに関する表示設定のない、または、特定のウィンドウ、フレームへの表示設定のされたウェブサイトの画面を、前記１のウィンドウ中に表示される複数のウェブサイトの画面のうちの１を構成するように変更するものであることを特徴とする請求項１記載の端末装置。
【請求項３】
前記複数のウェブサイトの画面は、２のウェブサイトの画面であることを特徴とする請求項２記載の端末装置。
【請求項４】
前記複数のウェブサイトの画面を構成する１の画面は、他の画面からのリンクにより表示されたものであることを特徴とする請求項２または３記載の端末装置。
【請求項５】
通信網を介して外部サーバよりウェブサイトの画面データを読み込む画面データ読込ステップと、
前記画面データ読込ステップにより読み込まれた前記ウェブサイトの画面データのうちの、表示方法に関するデータを変更せしめる表示データ変更ステップと、
前記表示データ変更ステップによって変更された前記表示方法に関するデータに基づいて前記ウェブサイトの画面を表示せしめる変更後画面表示ステップと、をコンピュータに実行させることを特徴とするプログラム。
【請求項６】
前記変更後画面表示ステップは、１のウィンドウ中に複数のウェブサイトの画面を同時に表示させるものであり、
前記表示データ変更ステップは、前記１のウィンドウ中に１つだけ表示されるように設定された、または、ウィンドウ、フレームに関する表示設定のない、または、特定のウィンドウ、フレームへの表示設定のされたウェブサイトの画面を、前記１のウィンドウ中に表示される複数のウェブサイトの画面のうちの１を構成するように変更するものであることを特徴とする請求項５記載のプログラム。
【請求項７】
前記複数のウェブサイトの画面は、２のウェブサイトの画面であることを特徴とする請求項６記載のプログラム。
【請求項８】
前記複数のウェブサイトの画面を構成する１の画面は、他の画面からのリンクにより表示されたものであることを特徴とする請求項６または７記載のプログラム。
【発明の詳細な説明】
【技術分野】
【０００１】
本発明は、ブラウザ表示プログラム及びブラウザ表示制御用端末装置及びブラウザ表示プログラムに関し、特にユーザ側でフレーム分割と動作の設定を可能としたブラウザ表示制御用端末装置及びブラウザ表示プログラムに関する。
【背景技術】
【０００２】
パーソナル・コンピュータの普及、インターネット技術の発達により、様々な場面においてインターネットが利用されるようになっている。企業のみならず個人も自らのホームページ（ＨＰ）を有するようになり、様々な情報をコンピュータ画面等を介して、閲覧できるようになった。
【０００３】
これらＨＰ等のサイトを閲覧するためには、ブラウザと呼ばれる閲覧用のソフトウェアが使用される。また、表示される画面のデザインは、画面作成者の好み等に応じて自由に設定することができ、この際には通常、ＨＴＭＬ形式で画面のデータが作製される。
【０００４】
各サイトの画面には、その画面のある部分にポインタを合わせてマウスをクリックすることで、特定のサイトを表示されるように、当該特定のサイトのＵＲＬがリンクされていることが多い。このように他の画面とリンクさせることで、１つの画面には表示しきれない関連情報などを１クリックで容易に表示させることも可能となり、新たな画面を表示させる際の手間もなくなる。
【０００５】
元の画面からリンク先サイトを選択した際には、元の画面に替わってリンク先サイト画面が表示される場合と、新たなブラウザのウィンドウによって表示される場合がある。
【０００６】
図７は、元の画面からリンク先サイトを選択した際において、新たなブラウザのウィンドウによって表示される場合の表示例を示している。表示部１７の表示画面１７１上には、ブラウザの表示画面が表示されている。元画面ウィンドウ３１１内には元ページ画面３２１が表示されており、更に画面中にはリンク先のＵＲＬであるリンク１ＵＲＬ３３１が表示されている。ユーザがリンク先ＵＲＬ３３１を選択すると、元ページ画面３２１の表示はそのままに、元画面ウィンドウ３１１に重なるように新たにリンク画面ウィンドウ３１２が表示され、そのウィンドウ中にリンク１サイト画面３２２が表示される。
【０００７】
この場合には、元の画面も引き続き表示されるので、２つの画面の対比や、元の画面から別のリンク先を表示させることが容易であるが、その一方で、画面上にブラウザのウィンドウが複数表示されるので、画面を見づらくなる。
【０００８】
一方、元の画面に替わってリンク先サイト画面が表示される場合には、画面上には１つのウィンドウしか表示されないので、画面上は整理されているが、元の画面を見るためには後から開いた画面を閉じなければならない。
【０００９】
また、その他の形態としては、画面の設計によっては、１つのウィンドウ中に複数の画面を表示させるといったものもある。
【００１０】
これらの表示形態のいずれによって画面が表示されるかについては、画面の設定によって予め決定されている。従って、ユーザはこれらの表示方法の中から自由に選択することができなかった。
【００１１】
これに対して、１つのウィンドウ中に複数の画面を表示させる表示方法については、その分割比をユーザが自由に設定できるという方法も考えられている（例えば、特許文献１参照）。
【特許文献１】特開２００４−２４６７６３号公報
【発明の開示】
【発明が解決しようとする課題】
【００１２】
しかしながら、特許文献１によると、予めウィンドウ中を分割表示するよう設定された画面において、その分割比の自由設定を可能にしたにすぎないため、本来分割されていない画面に対しては何もできない。
【００１３】
従って、本発明の目的は、サイトの画面設定にかかわらず、ユーザの設定によって、ブラウザ上の画面表示の設定変更を可能とするブラウザ表示制御用端末装置及びブラウザ表示プログラムを提供することにある。
【課題を解決するための手段】
【００１４】
本発明は、上記目的を達成するため、通信網を介して外部サーバよりウェブサイトの画面データを読み込む画面データ読込手段と、前記画面データ読込手段により読み込まれた前記ウェブサイトの画面データのうちの、表示方法に関するデータを変更する表示データ変更手段と、前記表示データ変更手段によって変更された前記表示方法に関するデータに基づいて前記ウェブサイトの画面を表示させる変更後画面表示手段と、を備えることを特徴とする端末装置を提供する。
【００１５】
このように端末装置を構成することにより、サイトの画面設定にかかわらず、ユーザの設定によって、ブラウザ上の画面表示の設定変更が可能となる。
【００１６】
前記変更後画面表示手段は、１のウィンドウ中に複数のウェブサイトの画面を同時に表示させるものであり、前記表示データ変更手段は、前記１のウィンドウ中に１つだけ表示されるように設定された、または、ウィンドウ、フレームに関する表示設定のない、または、特定のウィンドウ、フレームへの表示設定のされたウェブサイトの画面を、前記１のウィンドウ中に表示される複数のウェブサイトの画面のうちの１を構成するように変更するものであってもよく、複数のウェブサイトの画面とは、２のウェブサイトの画面であってもよい。
【００１７】
このように端末装置を構成することにより、本来別個のウィンドウに表示される画面設定の２以上のウェブサイト画面を、ユーザの設定により１つのウィンドウ内に同時に表示することができる。
【００１８】
また、前記複数のウェブサイトの画面を構成する１の画面は、他の画面からのリンクにより表示されたものであってもよい。
【００１９】
また、本発明は、通信網を介して外部サーバよりウェブサイトの画面データを読み込む画面データ読込ステップと、前記画面データ読込ステップにより読み込まれた前記ウェブサイトの画面データのうちの、表示方法に関するデータを変更せしめる表示データ変更ステップと、前記表示データ変更ステップによって変更された前記表示方法に関するデータに基づいて前記ウェブサイトの画面を表示せしめる変更後画面表示ステップと、をコンピュータに実行させることを特徴とするプログラムを提供するものでもある。
【００２０】
前記変更後画面表示ステップは、１のウィンドウ中に複数のウェブサイトの画面を同時に表示させるものであり、前記表示データ変更ステップは、前記１のウィンドウ中に１つだけ表示されるように設定された、または、ウィンドウ、フレームに関する表示設定のない、または、特定のウィンドウ、フレームへの表示設定のされたウェブサイトの画面を、前記１のウィンドウ中に表示される複数のウェブサイトの画面のうちの１を構成するように変更するものであってもよく、前記複数のウェブサイトの画面とは、２のウェブサイトの画面であってもよい。
【００２１】
更に、前記複数のウェブサイトの画面を構成する１の画面は、他の画面からのリンクにより表示されたものであってもよい。
【発明の効果】
【００２２】
本発明によれば、本来別個のウィンドウに表示される２以上のウェブサイト画面を、１つのウィンドウ内に同時に表示することができる。
【発明を実施するための最良の形態】
【００２３】
以下、図面を参照しつつ、本発明に係る端末装置及びプログラムについて説明する。
【００２４】
［端末装置の構成］
図１は、本発明の実施の形態に係る表示プログラムを実行可能な端末装置の基本的な構成を示すブロック図である。端末装置１は、制御部１１、メイン内部バス１２、通信用インターフェイス１３、記憶部１４、入力部１５、補助装置用インターフェイス１６よりなる。
【００２５】
端末装置１において、制御部１１はメイン内部バス１２に接続している。メイン内部バス１２には、通信用インターフェイス１３、記憶部１４、入力部１５、補助装置用インターフェイス１６のそれぞれが接続されている。
【００２６】
また、端末装置１は、表示部１７、補助装置１６１、通信網２１と、接続されている。更に、通信網２１は、ＷＷＷサーバ２２と接続されている。
【００２７】
制御部１１は、後述するプログラム格納部１４１に格納されたプログラムに従い、端末装置１中の各構成部に対する指令を発することによって端末装置１を機能させる。具体的にはＣＰＵ（中央演算装置）が相当する。
【００２８】
メイン内部バス１２は、制御部１１やその他の構成部間における各種電気信号の入出力経路であり、制御部１１及び各構成部と電気的に接続されている。制御部１１より発せられた構成部に対する命令や、送受信されるデータ等は、電気信号として、メイン内部バス１２を経由して伝送される。
【００２９】
通信用インターフェイス１３は、外部通信網との間におけるデータの送受信を行う。メイン内部バス１２と電気的に接続され、通信網２１を介して外部のＷＷＷサーバ２２と接続されている。通信網２１は、インターネット等のネットワークが該当する。
【００３０】
記憶部１４は、端末装置１を駆動させるために制御部１１に実行させるプログラムや、各種データを格納する。プログラムを格納するためのプログラム格納部１４１とデータを格納するためのデータ格納部１４２よりなる。具体的にはＲＯＭ（リード・オンリー・メモリ）やＲＡＭ（ランダム・アクセス・メモリ）、ＨＤＤ（ハード・ディスク・ドライブ）等が該当する。
【００３１】
入力部１５は、ユーザによる入力動作に従い、端末装置１に対する指令を電気信号により制御部１１に送信する。具体的には、キーボード、マウスなどが該当する。尚、入力部１５は、図１においては端末装置１に内蔵されたものであるが、本発明はこれに限らず、入力部１５は端末装置１に内蔵されずに外付装置として構成されるものであってもよい。
【００３２】
補助装置用インターフェイス１６は、端末装置１と外部に位置する補助装置１６１との間におけるデータの送受信を行う。メイン内部バス１２と電気的に接続されている。また、補助装置１６１は、端末装置１の構成部以外に端末装置１の駆動時に用いられる外付けの装置であり、例えば、プリンタ、外付ＨＤＤなどが該当する。
【００３３】
表示部１７は、通信網２１を介してＷＷＷサーバ２２より受信したウェブサイトの画像データを表示する。具体的にはディスプレイ等が該当する。尚、表示部１７は、図１においては端末装置１に対して外付けされたものであるが、本発明はこれに限らず、表示部１７は端末装置１の外付けではなく、端末装置１に内蔵されるように構成されるものであってもよい。
【００３４】
ユーザが入力部１５を操作すると、操作内容に関する信号がメイン内部バス１２を介して制御部１１に送信される。操作部１１は当該信号を受信すると、プログラム格納部１４１に格納されたプログラムに従って各構成部に対して適切な動作をする旨の信号を送信する。
【００３５】
例えば、ユーザの指示内容が、あるサイト画面を表示する旨の指示であった場合には、制御部１１は通信用インターフェイス１３に対して当該サイトの属するＷＷＷサーバ２２と通信を行わせ、サイト画面のデータ送信要求信号を送信させる。通信用インターフェイス１３が送信要求に基づくサイト画面のデータを受信すると、制御部１１は当該データを表示部１７に送信し、サイト画面を表示させる。
【００３６】
また、ユーザの指示内容が、あるサイト画面のデータを保存する旨の指示であった場合には、制御部１１は当該データを記憶部１４に送信し、データ格納部１４２に格納させる。
【００３７】
［ブラウザ上におけるフレーム内分割の表示例］
図２は、端末装置１においてフレーム分割処理を行った結果の、表示部１７におけるブラウザの表示例である。
【００３８】
図２（ａ）において、１つのブラウザのウィンドウ内が２つのフレームに分割されている。ウィンドウ３１は、その略中央部において縦に二分割されており、左側の領域（フレーム）には元ページ画面３２１が、右側のフレームにはリンク１サイト画面３２２が、それぞれ表示されている。
【００３９】
ウィンドウ３１の左側フレームに、予め元ページ画面３２１が表示されていたとする。このとき、元ページ画面３２１中には、３つのリンク先サイトのＵＲＬである、リンク１ＵＲＬ３３１、リンク２ＵＲＬ３３２、及びリンク３ＵＲＬ３３３が貼りつけられている。ここで、リンク１ＵＲＬ３３１を指定すると、図２（ａ）に示すように、左側フレームには元ページ画面３２１が表示されたままの状態で、右側フレームにリンク１サイト画面３２２が表示される。
【００４０】
また、図２（ａ）の状態からリンク２ＵＲＬ３３２を指定したとすると、図２（ｂ）に示すように、左側フレームには元ページ画面３２１が表示されたままの状態で、右側フレームにリンク２サイト画面３２３が表示されることになる。このように、表示を残しておきたい画面を左側フレームに固定しておき、リンク先のサイト画面を、順次表示することができる。
【００４１】
また、図２においてはブラウザのウィンドウ内を縦に２分割したものについて説明しているが、本発明はこれに限らず、３つ以上のフレームに分割したものであっても、横方向に分割したものであってもよい。
【００４２】
［フレーム分割プログラムの起動操作方法］
図３（ａ）から（ｄ）は、起動されたブラウザ上におけるフレーム分割プログラムを起動する操作方法の一例を示す図である。
【００４３】
図３（ａ）は、分割表示前のブラウザのウィンドウの表示例である。ウィンドウ３１の上部には、メニューバー３４が表示されており、例えば、「ファイル」、「編集」、「表示」などのメニューが表示されている。
【００４４】
このうち、「表示」メニューを指定すると、図３（ｂ）に示すように、サブメニュー３５が表示される。サブメニュー３５には、「ツールバー」、「ステータスバー」などの複数の項目が表示されるが、その項目の１つとして、「フレーム分割」が表示される。この項目は、本来のブラウザには設定されていない項目であるが、本発明に係るフレーム分割プログラムを組み込んだ端末装置１においては、ブラウザ起動時に「フレーム分割」なる項目を表示させるプログラムも起動し、このように表示させるものである。
【００４５】
次に、サブメニュー３５から「フレーム分割」を指定すると、図３（ｃ）に示すように、ダイヤログボックス３６が表示される。このダイヤログボックス３６には、「元ページの選択」とのタイトルが表示されており、図２に示すようなフレーム分割表示がなされた状態において左側フレームに表示される元ページとなるサイトを選択するためのものである。
【００４６】
ダイヤログボックス３６には、指定ボックス３７が表示されており、ユーザはここに元ページとして指定したいサイトのＵＲＬ又はサイト名を入力し、決定ボタンをクリックすることで、元ページの選択が完了する。尚、１度指定したサイトについて記憶しておき、それらのサイトについてユーザに選択させることで、入力を簡略化させることも可能であり、その場合には図３（ｄ）のように、参照リスト３８が表示され、参照リスト３８に表示されたサイト名からいずれかをユーザが選択することにより、当該サイトが元ページとして選択されることになる。
【００４７】
［元ページ画面の表示方法］
フレーム分割表示の設定が完了した後であっても、リンク先のサイトが指定されていない状態においては、ウィンドウ３１内には元ページ画面のみが表示されていることとなる。この場合における元ページ画面の表示方法には図４に示す２通りが考えられる。
【００４８】
図４（ａ）は、フレーム分割設定完了後、リンク先サイト指定前における元ページ画面の表示の一例である。ウィンドウ３１の内側に表示されるべき画面は元ページ画面の１つのみであるので、この場合には元ページ画面を分割前画面３２として全画面表示される。このとき、分割前画面３２には、リンク先サイトのＵＲＬとして、リンク１ＵＲＬ３３１、リンク２ＵＲＬ３３２およびリンク３ＵＲＬ３３３の３つのＵＲＬが貼りつけられているものとする。
【００４９】
ユーザが、分割前画面３２に貼りつけられた３つのＵＲＬの中から、リンク１ＵＲＬ３３１を選択したとすると、ウィンドウ３１の内側のウィンドウが分割され、図４（ｂ）のような表示になる。図４（ｂ）においては、ウィンドウ３１内のウィンドウは２分割されており、その左側フレームには図４（ａ）の分割前画面３２の表示された内容がそのまま元ページ画面３２１として表示され、右側フレームには選択されたリンク１ＵＲＬ３３１に対応するリンク１サイト画面３２２が表示される。ここで図４（ｂ）に示された表示は、上述する図２（ａ）に示された表示と同一である。
【００５０】
図４（ｃ）は、フレーム分割設定完了後、リンク先サイト指定前における元ページ画面の表示のもう１つの例である。ウィンドウ３１の内側に表示されるべき画面は元ページ画面の１つのみであるが、ウィンドウ３１の内側をこの時点において２つに分割しておく。左側フレームには元ページ画面３２１が表示され、右側フレームには何も表示がされず空白画面３２４となる。実際には背景画面が表示される。
【００５１】
この場合においても、ユーザが、元ページ画面３２１に貼りつけられた３つのＵＲＬの中から、リンク１ＵＲＬ３３１を選択したとすると、図４（ｂ）に示すように、右側フレームには選択されたリンク１ＵＲＬ３３１に対応するリンク１サイト画面３２２が表示される。
【００５２】
これら２つの形態は、そのいずれかを採用するかが予めプログラムにより決定されているものであっても、ユーザによって、自由に設定可能なものであってもよい。
【００５３】
［フレーム分割プログラムの流れ］
図５は、本発明に係るフレーム分割プログラムの動作の流れを示すものである。１つは、ブラウザ起動後に必要に応じてフレーム分割プログラムを起動させるものであり、もう１つは、ブラウザ起動時にフレーム分割プログラムも併せて起動するものである。
【００５４】
まず、ユーザによるブラウザの起動（１０１）がなされると、ブラウザ起動後に必要に応じてフレーム分割プログラムを起動させる場合、即ちフレーム分割の自動設定がない場合（１０２）においては、フレーム分割のされていない１つのウィンドウ３１で通常のブラウザ画面が表示される（１０３）。この場合において、フレーム分割の指示がないまま（１０４）、画面中のリンク先ＵＲＬを選択すると（１０５）、元のブラウザ画面２００を表示するウィンドウ３１Ａに重なるようにリンク先サイト画面２０１を表示する新たなウィンドウ３１Ｂが表示され、２つのウィンドウ３１Ａ、３１Ｂが表示されることとなる（１０６）。
【００５５】
その一方で、上述したような方法によってユーザがフレーム分割を指示すると（１０７）、フレーム分割処理が行われることでウィンドウ３１内のフレームが２分割される（１０８）。このとき一方のフレームは空白画面２０２となる。ここで、画面中のリンク先ＵＲＬを選択すると（１０９）、１ウィンドウ中に２つのサイト画面２００、２０１が表示される（１１０）。
【００５６】
一方、ユーザによるブラウザの起動（１０１）がなされた際に、ブラウザ起動時にフレーム分割プログラムも併せて起動する場合、即ちフレーム分割の自動設定がある場合（１１１）においては、当初からフレーム分割処理が行われてウィンドウ３１の内部が２つのフレームに分けられる（１１２）。そして、画面中のリンク先ＵＲＬを選択すると（１１３）、空白画面２０２にリンク先サイト画面２０１が表示され、１ウィンドウ中に２つのサイト画面２００、２０１が表示される（１１０）。
【００５７】
［フレーム分割プログラムの動作］
図６は、本発明に係るフレーム分割プログラムの動作を示すフローチャートである。以下、特に記載のない限り、動作の主体は制御部１１が行うものとする。
【００５８】
最初に、ユーザの操作によりブラウザが起動されると（ステップＳ１）、ブラウザメニュー中に「フレーム分割」の項目の組み込み設定を行う（ステップＳ２）。
【００５９】
次に、ユーザによってブラウザメニューの中から「フレーム分割」の項目が選択されると（ステップＳ３）、表示部にフレーム分割時の元画面のサイトを選択する旨のダイヤログボックスを表示させる（ステップＳ４）。
【００６０】
次に、ステップＳ４において表示されたダイヤログボックスに従ってユーザが所望するサイトの指定がされると（ステップＳ５）、通信用インターフェイス１３及び通信網２１を介して、指定サイト画面のＨＴＭＬデータを読み込み（ステップＳ６）、２画面表示における左側フレームにのみ画面表示されるようにＨＴＭＬデータを変換する（ステップ７）。そして、変換されたデータに基づき、当該指定サイト画面を表示させる（ステップＳ８）。
【００６１】
次に、ユーザによって元画面中に表示されたリンク先サイトのＵＲＬが選択されると（ステップＳ９）、通信用インターフェイス１３及び通信網２１を介して、リンク先サイト画面のＨＴＭＬデータを読み込み（ステップＳ１０）、リンク先表示フレームにリンク先サイト画面を表示させる（ステップＳ１１）。これにより、ブラウザの１ウィンドウ内に２つの画面の表示が可能となる。
【００６２】
以上に示すようなフローチャートに従いプログラムを実行することによって、本来別個のウィンドウに表示される画面設定の２以上のウェブサイト画面を、ユーザの設定により１つのウィンドウ内に同時に表示することができる。
【００６３】
上記した実施の形態によると、ユーザ側であるページを残したまま、他のページを参照したい場合に、ウィンドウの重なりや、ページ描画以外の面積（ツールバーやメニューバー、フレームなど）をとられずに広く描画することができる。新規ウィンドウの場合は、元ウィンドウと新規ウィンドウの関係がなかったが、各フレームのリンク描画対象を設定することにより、あるページのリンクは同じウィンドウ内に描画することができ、ウィンドウが多数形成されることによる表示画面の乱雑化や、新規ウィンドウ起動の労力と時間が短縮される。また、別ウィンドウの場合は、両方を操作する場合に対応するウィンドウに対して操作を行う必要があるが、同じウィンドウではその労力と時間を短縮することができる。
【図面の簡単な説明】
【００６４】
【図１】本発明に係る端末装置の構成を示すブロック図である。
【図２】本発明におけるフレーム分割処理を行った結果のブラウザの表示例である。
【図３】本発明におけるフレーム分割プログラムの起動操作方法の一例を示す図である。
【図４】フレーム分割表示設定後の元ページ画面の表示方法を示す図である。
【図５】本発明に係るフレーム分割プログラムの動作の流れを示す図である。
【図６】フレーム分割プログラムの動作を示すフローチャートである。
【図７】従来技術における、２つのサイト画面を表示させた場合の表示例である。
【符号の説明】
【００６５】
１、端末装置  １１、制御部  １２、メイン内部バス
１３、通信用インターフェイス  １４、記憶部  １５、入力部
１６、補助装置用インターフェイス  １７、表示部  ２１、通信網
２２、ｗｗｗサーバ  ３１、３１Ａ、３１Ｂ、ウィンドウ  ３２、分割前画面
３４、メニューバー  ３５、サブメニュー  ３６、ダイヤログボックス
３７、指定ボックス  ３８、参照リスト  １４１、プログラム格納部
１４２、データ格納部  １６１、補助装置  １７１、表示画面
２００、ブラウザ画面  ２０１、リンク先のサイト画面  ２０２、空白画面
３２１、元ページ画面  ３２２、リンク１サイト画面
３２３、リンク２サイト画面  ３２４、空白画面
３３１、リンク１ＵＲＬ  ３３２、リンク２ＵＲＬ
３３３、リンク３ＵＲＬ
【図１】
2006268646.tif 000003
【図２】
2006268646.tif 000004
【図３】
2006268646.tif 000005
【図４】
2006268646.tif 000006
【図５】
2006268646.tif 000007
【図６】
2006268646.tif 000008
【図７】
2006268646.tif 000009